(57)【要約】【課題】プロジェクション装置でランプの球切れやランプの発光を阻害する要因によって投影できなくなった場合に故障箇所の情報等を投影可能とする。【解決手段】通常動作時、主光源１１０からの光が空間光変調器（ＳＬＭ）１０５を介して空間的に変調され、投影画像１２５として映写される。主光源１１０の故障が検出されると、ＬＥＤ等を用いた補助光源１３０が点灯する。補助光源１３０からの光は、ステンシル状に抜かれた情報マスク１３５を透過し、補助光源レンズ１４０、ＳＬＭ１０５を介して投影される。情報マスク１３５に設定されるパターンとしては、光源の交換を促すメッセージや、プロジェクション装置の設置業者の連絡先等などが可能である。情報マスク１３５に代えて、ＳＬＭ１０５を制御し、故障の状況に応じた情報を投影することも可能である。【選択図】図３
2008083730.tif 000002
【特許請求の範囲】
【請求項１】
プロジェクションシステムであって、
主光源と、
第１の補助光源と、
空間光変調器と、
前記主光源が機能しなくなったことを判定し、前記第１の補助光源を起動し、前記主光源が故障したという旨のメッセージを、前記空間光変調器を経てスクリーン上に投影するよう構成された、コントローラと
を備え、
前記主光源からの光及び前記第１の補助光源からの光は、前記空間光変調器に導かれ、
前記空間光変調器は、複数の色用の光シャッタを有し、前記複数の色用の光シャッタのそれぞれは、互いに異なる色の光を透過させることが可能に構成され、前記メッセージは、前記複数の色用の光シャッタのうちのいずれか一つの色用の光シャッタが用いられる
ことを特徴とするプロジェクションシステム。
【請求項２】
プロジェクションシステムであって、前記メッセージは、前記主光源の動作時に投影画像が占める空間の一部の領域に投影されることを特徴とする請求項１に記載のプロジェクションシステム。
【請求項３】
プロジェクションシステムであって、
主光源と、
第１の補助光源と、
空間光変調器と、
前記主光源の状態を判定する手段と、
前記主光源の状態が、動作不能と判定される場合には、前記第１の補助光源を起動する手段と、
前記第１の補助光源からの光と前記空間光変調器とを用いてメッセージを供給する手段と
を備え、
前記主光源からの光及び前記第１の補助光源からの光は、前記空間光変調器に導かれ、
前記空間光変調器は複数の色用の光シャッタを有し、前記複数の色用の光シャッタのそれぞれは、互いに異なる色の光を透過させることが可能に構成され、前記メッセージは、前記複数の色用の光シャッタのうちのいずれか一つの色用の光シャッタが用いられる
ことを特徴とするプロジェクションシステム。
【請求項４】
プロジェクションシステムであって、前記メッセージは、前記主光源の動作時に投影画像が占める空間の一部の領域に投影されることを特徴とする請求項３に記載のプロジェクションシステム。
【請求項５】
プロジェクションシステムであって、前記メッセージは、前記主光源の動作不能状態を是正するのに用いる障害情報を伝えることを特徴とする、請求項３に記載のプロジェクションシステム。
【請求項６】
交換可能な情報マスクに向けて光を出射する第２の補助光源と、
前記情報マスクを透過した前記第２の補助光源からの光を投影スクリーン上に結像するための補助光源レンズと
をさらに有することを特徴とする請求項１または３に記載のプロジェクションシステム。
【発明の詳細な説明】
【技術分野】
【０００１】
本発明は、主光源とともに補助光源を有するプロジェクションシステムに関する。
【背景技術】
【０００２】
大画面テレビは、多くのマルチメディアシステムの一部である。人気があって選ばれている大画面テレビとしては、プロジェクションテレビシステム（プロジェクションＴＶ）がある。プロジェクションＴＶは、従来のブラウン管（ＣＲＴ）システムよりも大きい可視（目に見える、viewable）画像を提供することができ、現在のプラズマディスプレイシステムよりも低コストである。
【０００３】
プロジェクションＴＶは、小さな画像を生成し、観視者が見る、より大きなディスプレイスクリーン上にその画像を投影することによって可視画像を提供するプロジェクションシステムである。通常水銀ランプまたは電球（primary bulb）によって発生する光源が、生成された画像上に光を当て、その光がディスプレイスクリーン上に反射するすなわち伝達される。
【０００４】
電球は、約２５００時間の寿命を有し、機能しなくなると交換するよう想定されている。電球は価格が比較的高いので、予備品は通常保管されていない。電球が機能しなくなると、交換部品が発注される。電球の交換のしやすさは、個々のプロジェクションシステムとユーザの技量とによって決まる。
【０００５】
ホームエンターテイメントシステムの場合には、標準的なユーザは、電球を交換する技量がない、または、電球が切れたのが故障の原因である可能性があるということを容易に認識しない可能性がある。電球が機能しなくなると、ディスプレイスクリーン上で画像を見られなくなる。ユーザは、プロジェクションシステムが正しく作動していないのではないかと疑う。しかしユーザは電球を交換する必要があるのではないかと疑うかもしれないし、疑わないかもしれない。プロジェクションシステムのサイズは比較的大きいので、プロジェクションシステムを持ち込んで修理してもらうのは実用的な選択肢ではない場合がある。
【０００６】
そのプロジェクションシステムを含むユニット上のインターフェースを通して、観視者に「電球切れ」のインジケータが表示されるプロジェクションシステムもある。ユーザは、電球を交換する必要があるということはわかっているかもしれないが、交換したくないかもしれないし、適切な関係者に連絡をとることを望むかもしれない。通常、この適切な関係者は、そのプロジェクションシステムを設置した設置業者である可能性がある。しかしユーザは、適切な関係者に連絡をとるための情報を有していないかもしれない。
【０００７】
画像の投影を妨げ主電球の作動を妨げる、他の状態がある場合もある。例えば、電球は、冷却ファンが動かないまたは故障しているために作動しないのかもしれない。電球は相当な熱を発生する可能性があるので、冷却ファンが電球を冷却して、電球の過熱および「焼き切れ（過熱による球切れ）」を防止する。プロジェクションシステムは、冷却ファンが動作しておらず電球の作動を妨げるようにしていると判定するかもしれない。電球を交換する必要はないが、ユーザは投影画像が見えず、電球に障害があって交換しなければならないと考えるかもしれない。現在の電球がまだ機能できるということが明らかになるようにするために、交換用の電球を購入するというのはコストのかかる方法かもしれない。
【０００８】
いくつかのプロジェクションシステムについては、電球の作動を妨げる状態であるところの、ファンが動かない状態等、プロジェクションシステムの動作に影響を及ぼす現在遭遇している状態が障害情報によって提供される。障害情報には、その状態（複数可）に対処するための是正動作（複数可）を含んでいてもよい。したがって、電球の作動を妨げる状態が存在する場合には、その状態の原因をトラブルシューティングする（原因をたどる）ための障害情報が役に立つ可能性がある。しかし、電球が機能停止している場合には、その障害情報を見る人が見るディスプレイスクリーン上に表示する方法がない可能性がある。障害情報を表示する二次ビューイングシステム（表示システム）を実施してもよい。しかしそのような二次ビューイングシステムは、さらなるビューイングスクリーン（例えばそのプロジェクションシステムを収容しているユニット上のディスプレイ）、別の光学素子、およびさまざまな入出力インターフェースを含む可能性があり、これらによってプロジェクションシステムに相当なコストが上乗せされてしまう。
【発明の開示】
【発明が解決しようとする課題】
【０００９】
したがって、プロジェクションシステムにおける主光源が切れていることを知らせるメッセージを提供する、新規なかつ改良したシステムおよび方法が必要とされている。
【課題を解決するための手段】
【００１０】
プロジェクションシステムは、主光源が動作不能の場合には補助光源を起動するよう構成されている。補助光源は、主光源が機能しなくなったということを知らせるメッセージを投影できるようにする光を提供する。
【発明を実施するための最良の形態】
【００１１】
以下の詳細な説明は、添付図面を参照する。図面において、参照番号の一番左の数字（複数可）によって、その参照番号が最初に出てくる図が識別される。さらに、図面を通して、同じ参照番号を用いて同様の特徴および構成要素を参照する。
【００１２】
（概要）
以下の説明は、プロジェクションシステムにおける主光源が作動しないときのために補助（バックアップ）光源とメッセージとを備えるシステムおよび方法に関する。補助光源を設けることによって、主光源が機能しなくなった、あるいは「切れている」ことを知らせるメッセージがユーザに表示される。表示メッセージは、主光源が動作しているときには通常投影画像が表示されるのと同じディスプレイスクリーン上に投影される。いくつかの実施形態では、障害情報を表示してそれをユーザが見てもよい。他の実施形態では、補助光源は、主光源が切れているということを伝えるマスクまたはライトテンプレート（影絵のようにして表示するもの）からの情報を表示してもよい。
【００１３】
（例示的なシステム環境）
図１は、空間光変調器（ＳＬＭ）と補助光源とを有する例示的なプロジェクションシステム１００を示す。一般に、ＳＬＭは、光データ処理、応用光学、光相関、機械視覚（マシンビジョン）、およびディスプレイに関係する技術において、画素単位で光を制御するのに用いられる。ＳＬＭには、デジタル変調器デバイスまたはＤＭＤとして知られるデジタル・マイクロミラー・デバイスが含まれる。
【００１４】
例として、ＳＬＭを一つだけ有するプロジェクションシステム１００を示す。しかし、ＳＬＭが３つ等、ＳＬＭが複数のプロジェクションシステムに、説明する方法およびシステムを用いてもよい、ということが意図される。
【００１５】
プロジェクションテレビシステム等のプロジェクションシステムは、ＤＭＤ等の１つまたは複数のＳＬＭを用いてもよい。ＤＭＤおよびデジタル・ライト・プロセシング（ＤＬＰ）（登録商標）は、テキサス・インスツルメンツ社（Texas Instruments Corporation）が開発した既知の技術である。ＤＭＤとは、８００〜１００万個のミラーを含むチップであり、ミラーの１つひとつが１つの画像画素を表す。ＤＭＤにおけるそれぞれのミラーは、光源からの光を反射するか反射しないかのどちらかを行うよう制御されるすなわち切り替えられる。この切替えは、１秒当たり数千回行うこともできる。ミラーがオンに切り替わり（光を反射する）オフに切り替わる（光を反射しない）回数は、白色光の反射時に特定のグレースケールに変換される。以下に説明するように、ＤＭＤの各ミラーはプロセッサによって制御される。この特定の実施形態においては、単一のＳＬＭ１０５が用いられる。
【００１６】
主光源１１０は、比較的高出力の、熱を発生する水銀ランプまたは電球を含んでいてもよい。主光源１１０は光安定器を含んでいてもよく、光安定器は、電球に含まれていても電球に含まれていなくてもよい。一実施形態において、光安定器は、電球とは別個の交換品目である。
【００１７】
主光源１１０からの光はＳＬＭ１０５に送られる。しかし主光源１１０からの光は、ＳＬＭ１０５で受け取られる前に、１組のフィルタおよび光学部品１１５を通るように示されている。特に、フィルタおよび光学部品１１５には、カラーホイールフィルタが含まれている。このカラーホイールは、ＳＬＭ１０５と連係して特定の色をカットし、ＳＬＭ１０５のミラーがオンになって、特定の画像画素用の色を反射する。言い換えれば、特定の色がカラーホイールを通過すると、その色を有する画像画素を表すミラーのみがオンになる。フィルタおよび光学部品１１５はまた、さまざまな成形レンズおよび集光レンズを含んでいてもよい。
【００１８】
ＳＬＭ１０５で見える画像は、ユーザに表示されるものが縮尺されたものである。ＳＬＭ１０５からの光すなわち反射画像は投影レンズ１２０に送られ、投影レンズ１２０は、変倍された画像を拡大して、ユーザが見る投影画像１２５を投影する。
【００１９】
プロジェクションシステム１００には、補助（バックアップ）光源１３０が含まれている。補助光源１３０は、１つまたは複数の電球を含んでいてもよい。電球は、消費電力が比較的少ない（例えば約１００ｍＡ）、ということが意図される。補助光源１３０の電球としては、低出力の発光ダイオード（ＬＥＤ）およびレーザダイオードを含んでいてもよい。補助光源１３０は、主光源１１０が動作している限り機能停止したままであり、主光源１１０が作動しなくなるとオンになる、ということが意図される。しかし、故障モードが存在しない場合に、補助ランプを用いてユーザにその他の状態を伝えてもよい。これには、電球の電源投入時の「電源オン−お待ちください」が含まれていてもよい。
【００２０】
いくつかの実施形態において、情報マスクまたはライトテンプレート１３５が含まれていてもよい。メッセージは、ライトテンプレート１３５にエッチングによって形成される、あるいはマスキングによって形成される。このメッセージは、ライトテンプレート１３５上にエッチングによって形成され、メッセージの文字（または記号）を通って光が光ることができるようになっている。ライトテンプレート１３５は、補助光源１３０とＳＬＭ１０５との間でホルダ（図示せず）上に固定されていてもよい。ライトテンプレート１３５を変えることによって、さまざまなメッセージを提供（直接的に投影）することができる。
【００２１】
ライトテンプレート１３５の例としては、プロジェクションシステム１００を当初設置した関係者によって置かれるカスタムテンプレート（または名刺）がある。補助光源１３０が作動すると、その光はライトテンプレート１３５にエッチングによって形成されたメッセージを通って示され、透過光のメッセージを作成する。
【００２２】
ライトテンプレート１３５は、主光源１１０が作動しなくなった場合の、ユーザのための連絡先情報を含んでいてもよい。連絡先情報に加えて、主光源１１０が作動しなくなったという一般的な状態をユーザに警告する、基本的な故障情報が含まれていてもよい。本例において、この情報は「Ｊｏｅ’ｓ  Ｒｅｐａｉｒにお電話ください、５５５−１２１２」と伝えている。メッセージのその他の例としては、「主光源が故障、電球を交換してください」が挙げられる。
【００２３】
レンズ１４０を用いて、透過光のメッセージを、ＳＬＭ１０５が受け取る（ＳＬＭ１０５に達する）前に規定、すなわち集光してもよい。ＳＬＭとしてＤＭＤが用いられる場合には、補助光源１３０の作動時に、ＤＭＤのミラーの組全部、あるいはその一部がライトテンプレート１３５の透過光のメッセージを反射するよう設定される。透過光のメッセージは、適切なミラーで反射され、投影レンズ１２０によって拡大され投影されて投影画像１２５として表示される。ＤＭＤのミラーのうちの一部を用いて透過光のメッセージを反射する場合には、メッセージは、主光源１１０の動作時に投影画像１２５が占める空間の一部として表示される。
【００２４】
他の実施形態において、プロジェクションシステム１００によって障害情報が投影画像１２５としてユーザに提供される。主光源１１０が機能停止になるすなわち作動しなくなると、補助光源１３０が作動し、情報マスク１３５なしにＳＬＭ１０５に直接光を当てる。ＳＬＭ１０５は、障害メッセージ（複数可）を伝えるよう操作され、障害メッセージは投影レンズ１２０によって拡大され投影されて、ユーザまたは修理係が読むことができる投影画像１２５として表示される。障害情報は、冷却ファンが動かない、または、電球に主光源１１０の作動を妨げる障害がある、等の特定の状態を伝えてもよい。
【００２５】
図２は、３つの色変調器を有するカラープリズムを有するプロジェクションシステム２００を示す。プロジェクションシステム２００は、複数の画素でできているＬＣＤを含む光シャッター機構（光シャッター）を用いる。それぞれの光シャッターは、特定の色の光、すなわち赤、緑、または青、をカットするまたは通過させるよう構成されている。光シャッターまたはＳＬＭ２０５はさらに、特定の色の画像を処理する。本例において、ＳＬＭ２０５は、赤色光シャッター２１０、緑色光シャッター２１５、および青色光シャッター２２０を含む。
【００２６】
主光源２２５は白色光２３０を供給し、この白色光２３０は、白色光２３０が光シャッター２１０、２１５、２２０を通過するようにミラー（図示せず）またはその他のデバイスによって反射または屈折させることができる。赤色光シャッター２１０は、白色光２３０を受け取って赤色光を通過させ、赤色光画像を処理する。青色光シャッター２１５は白色光２３０を受け取って青色光を通過させ、青色光画像を処理する。緑色光シャッター２２０は白色光２３０を受け取って緑色光を通過させ、緑色光画像を処理する。
【００２７】
このようなさまざまな色の画像が組み合わされ、ＳＬＭ２０５から組合せ色画像２３５として送られる。色画像２３５は、投影レンズ２４５を通して処理されてもよく、投影画像２５０として表示される。
【００２８】
図１の補助光源１３０と同様に、プロジェクションシステム２００には補助光源２５５が含まれている。補助光源２５５は１つまたは複数の電球を含んでいてもよい。電球は、消費電力が比較的少ない（例えば約１００ｍＡ）ことが意図されている。電球は、低出力の発光ダイオード（ＬＥＤ）およびレーザダイオードを含んでいてもよい。一実施形態において、補助光源２５５は主光源２２５とともに動作してメッセージを伝える。
【００２９】
補助光源２５５は、主光源２２５が動作している限り機能が停止したままであり、主光源２２５が作動しなくなるとオンになる、ということが意図される。
【００３０】
図１において説明したライトテンプレート１３５と同様に、ライトテンプレートまたは情報マスク２６０がプロジェクションシステム２００のいくつかの実施形態の一部であってもよい。ライトテンプレート２６０は、ホルダ内に配置されて、異なるメッセージを有する他のテンプレートと交換されてもよい。ライトテンプレート２６０を透過光のメッセージが通過する。結像レンズ２６５を用いて、透過光のメッセージを、投影メッセージ２７０として投影スクリーン上に直接規定すなわち結像させてもよい。
【００３１】
他の実施形態において、光シャッター２１０、２１５、または２２０のうちの１つを用いて電子版のテンプレート２６０を生成して、カスタムメッセージを提示することができるようにしてもよい。メッセージの色は、この方法を実施するのに選択した色経路（すなわち赤、緑、または青）となる。メッセージの色としては、緑色光シャッター２１５を用いるのが好ましい。ユーザが読みやすいかもしれないからである。本実施形態において、補助光源２５５は、選択したシャッター機構を通してその光を直接当てる。
【００３２】
色のついた透過されたメッセージは、カラープリズム２０５を通して送られ、投影レンズ２４５によって伝達され拡大されて、投影画像２５０として表示される。
【００３３】
図３は、例示的なプロジェクションシステム３００の制御入出力を示す。プロジェクションシステム３００は、図１のプロジェクションシステム１００および図２のプロジェクションシステム２００の入出力の制御を含む。プロジェクションシステム３００は、フロントプロジェクションシステムおよびリアプロジェクションシステムを含んでいてもよい。
【００３４】
プロジェクションシステム３００は、ＳＬＭコントローラ３０５を含む。ＳＬＭコントローラ３０５は、１つまたは複数のＳＬＭ３１０を含む。ＳＬＭコントローラは、ハードウェア、ソフトウェア、ファームウェア、ロジック、または組合せを含んでいてもよい。プロジェクションシステム３００は、１つまたは複数のプロセッサ３１５およびメモリ３２０を含む。プロセッサ３１５（例えばマイクロプロセッサ、コントローラ等）は、さまざまな命令およびコマンドを処理して、プロジェクションシステム３００の動作を制御し、プロジェクションシステム３００がその他の電子装置および計算装置と交信することができるようにする。
【００３５】
プロセッサ３１５は、ＳＬＭ３１０を制御するよう構成されている。すなわちＳＬＭ３１０は、画像およびメッセージを反射するために、プロセッサ３１５から入力（すなわち命令またはコマンド）を受け取ってオンまたはオフになる（すなわち光源からの光を反射するまたは反射しない）よう構成されている。例えば、デジタル多用途ディスク（ＤＶＤ）プレーヤ等のビデオ装置は、プロジェクションシステム３００にビデオ入力を設けて、プロセッサ３１５はＳＬＭ３１０を、その画像を作成するように光および色を反射するよう制御する。ＳＬＭを１つだけ用いる場合には、プロセッサ３１５はまた、図１のフィルタおよび光学部品１１５において示し説明したカラーホイールすなわちフィルタも制御する。ＳＬＭが複数、例えば３つのＤＭＤ、の場合には、プロセッサ３１５はそれぞれのＤＭＤについて制御を行い、各ＤＭＤのミラーを、受け取る特定の色の光を適当に反射するよう調整する。
【００３６】
プロジェクションシステム３００は、プロセッサ３１５によって書込みおよび読出しを行うことができる、メモリ３２０として示す１つまたは複数のメモリコンポーネントで実施してもよい。メモリ３２０の例としては、ランダムアクセスメモリ（ＲＡＭ）、ディスク記憶装置、および不揮発性メモリ（例えばリードオンリメモリ（ＲＯＭ）、フラッシュメモリ、ＥＰＲＯＭ、ＥＥＰＲＯＭ等）が含まれる。
【００３７】
ＳＬＭコントローラ３０５は、さまざまなコンポーネントおよび装置の入出力に応答し、このコンポーネントおよび装置は、プロジェクションシステム３００の一部であってもプロジェクションシステム３００の外部にあってもよい。プロジェクションシステム３００の内部コンポーネントの例としては、電源、モータ、および冷却ファンが含まれる。外部装置としては、オーディオ装置、ビデオ入力装置（例えばＤＶＤプレーヤ、デジタルカメラ、ビデオカメラ等）、遠隔制御装置、およびケーブルボックス装置（cable box devices）が含まれる。
【００３８】
プロジェクションシステム３００は主光源３３０を含む。主光源３３０は、図１の主光源１１０および図２の主光源２２５を含み、そして示す。主光源３３０は、直接ＳＬＭコントローラ３０５と接続され、主光源３３０の動作ステータスに関する入力が供給されるようにしてもよい。または、主光源３３０の動作ステータスは、ＳＬＭコントローラ３０５に入力を供給するセンサ３３５を通して、ＳＬＭコントローラ３０５が判定してもよい。センサ３３５は、熱感知装置であっても光感知装置であってもよい。言い換えれば、主光源３３０をオンにしたときに、主光源３３０が測定可能な熱や光を発生すると予想されるので、センサ３３５は特に熱等の、主光源３３０の物理的状態を測定する。
【００３９】
主光源３３０が作動しない場合には、主光源３３０は、自らが動作していないということを知らせる入力をＳＬＭコントローラ３０５に供給してもよい。または、センサ３３５が、主光源３３０から来る物理的出力がない（すなわち熱または光がない）ということを感知して、主光源３３０の機能停止に関する入力をＳＬＭコントローラ３０５に供給してもよい。
【００４０】
ＳＬＭコントローラ３０５は、主光源３３０における機能停止を知らせる入力を受け取ると、補助光源３４０をオンにするようにコマンドを送る。補助光源３４０は、図１の補助光源１３０と図２の補助光源２５５とを含む。
【００４１】
または、電子的なエラーメッセージの出力が実施される場合には、プロセッサ３１５は、ＳＬＭ３１０に対し、ライトテンプレートから送られる光のメッセージを伝達するよう、コマンド（すなわち命令）を与える。言い換えれば、上述のように、ＳＬＭ３１０は透過光のメッセージに向けられ、反射したメッセージがユーザへに投影される。複数のＳＬＭが用いられる場合には、特定のＳＬＭが選択されプロセッサ３１５によって制御される。選択されたＳＬＭは、ライトテンプレートからの光のメッセージを伝達する。ＤＭＤ等のＳＬＭを、普通のミラーとして用いてメッセージを反射してもよく、または、補助光源からの光を受け取るときに変調してもよい。または、カラープリズムを用いる場合には、プロセッサ３１５は、シャッター（例えば緑色のシャッター）がライトテンプレートからの光のメッセージを通過させるよう、コマンドを与える。
【００４２】
プロセッサ３１５はさらに、プロジェクションシステム３００に含まれているその他のコンポーネントから障害情報を受け取ってもよい。障害情報の例としては、主光源３３０が停止する、あるいは動作しなくなる状態である、「冷却ファン不作動」の状態が含まれていてもよい。プロセッサ３１５は、メモリ３２０に障害情報を保存し、そして取り出すようにしてもよい。障害情報はプロセッサ３１５によって、複数のＳＬＭ３１０のうちの１つのＳＬＭを制御して伝えられる。複数のＤＭＤ３１０のうち、１つのＤＭＤ中の複数のミラーがオンまたはオフになって、主光源３３０または補助光源３４０等の源からの光を反射する。または、プロセッサ３１５は、ＳＬＭのシャッターを、障害情報を伝えるよう制御してもよい。
【００４３】
いくつかの場合においては、主光源３３０は動作しているけれどもプロジェクションシステム３００に影響を及ぼす状態が起こっている可能性がある。一例として、電源に障害がある（すなわち、プロジェクションシステム３００が補助電力を用いている）状態が含まれる。このような場合には、主光源３３０を用いて、障害情報メッセージを伝えるために光を複数のＳＬＭ３１０のうちの１つのＳＬＭに供給してもよい。しかし、主光源３３０が動作しなくなった場合には、補助光源３４０を用いて、障害情報メッセージを伝えるために光を供給してもよい。
【００４４】
図４は、主光源が動作不能の場合に、補助光源を供給してメッセージを表示する例示的なプロセス４００を示す。例示的なプロセス４００は、図１のプロジェクションシステム１００、図２のプロジェクションシステム２００、および図３のプロジェクションシステム３００に含まれていてもよい。さらに、図１のプロジェクションシステム１００、図２のプロジェクションシステム２００、および図３のプロジェクションシステム３００は、プロセス４００を行うための機構および機能を用いて実施してもよい。
【００４５】
ブロック４０５において、プロジェクションシステム（例えば図１のプロジェクションシステム１００、図２のプロジェクションシステム２００、および図３のプロジェクションシステム３００）における、図１の主光源１１０、図２の主光源２２５、および図３の主光源３３０等の主光源が、動作不能と判定される。この動作不能状態は、ランプまたは電球が「切れ」ていて交換する必要があることの結果、または、主光源がオンになるのを妨げる何か他の状態の結果である可能性がある。この判定は、図３に示すプロセッサ３１５等のコントローラやプロセッサへの入力に基づき、主光源（の状態）によって直接行うようにしてもよい。
【００４６】
ブロック４１０において、補助光源がオンされる。補助光源は、図１の補助光源１３０、図２の補助光源２５５、および図３の補助光源３４０を含む。補助光源は、主光源が機能停止していると判定されるまでは、作動しないままである。補助光源は、主光源に取って代わるよう意図されるものではなく、主光源についての問題を知らせるメッセージを伝えるために使用される。補助光源はさらに、主光源の機能停止を引き起こした状態（複数可）に対処するのに用いる連絡先情報または障害情報を提供するのに用いられる。上述のように、補助光源は、レーザダイオードおよびＬＥＤ等のさまざまなデバイスのうちの１つを含んでもよい。
【００４７】
ブロック４１５において、このプロジェクションシステムに障害情報が利用できるかどうかの判定が行われる。上述のように、障害情報は、プロジェクションシステムの性能に影響を及ぼす特定の状態を伝える。主光源が動作しなくなると、障害情報は、その状態の特定の原因を伝えることができる可能性がある。（障害が）主光源にある場合には、障害情報は、ランプまたは電球が実際に不良であり交換する必要があるということを、または、主光源の動作を妨げる冷却ファンが動かない状態等の別の状態を、知らせてもよい。
【００４８】
障害情報が利用できない（すなわちブロック４１５の「ＮＯ」の分岐をたどる）場合には、ライトテンプレート（例えば図１のライトテンプレート１３５および図２のライトテンプレート２６０）を用いて、主光源が切れているという透過光のメッセージを伝えてもよい、および／または、この状態を修繕することができる関係者に関する連絡先情報をユーザに提供してもよい。ＳＬＭはまた、標準デフォールトエラーメッセージも伝えてもよい。ライトテンプレートは、ＤＭＤが正常に機能することができないようにする可能性があるその他の障害情報が生じる場合に用いてもよい。
【００４９】
ブロック４２０において、ライトテンプレートからの透過光のメッセージが、図１のＤＭＤ１０５等のＤＭＤのミラーで反射する、または図２の緑色光シャッター２１５等のカラーシャッターを通過する。上述のように、ライトテンプレートからの透過光のメッセージは、ＤＭＤまたはカラーシャッターのところで受け取られる前に、光学部品で成形（集光）してもよい。これもまた上述のように、ＳＬＭが複数の場合には、複数のＳＬＭのうち、１つがメッセージを伝達する（すなわち反射する）ように選択される。言い換えれば、ＳＬＭは、メッセージを伝えるよう適切に調整される。
【００５０】
ブロック４２５において、ライトテンプレートからの透過光のメッセージが、ＳＬＭから投影レンズを通して投影され、目に見える画像としてユーザに表示される。
【００５１】
障害情報が利用できる（すなわちブロック４１５の「ＹＥＳ」の分岐をたどる）場合には、図３のプロセッサ３１５を含むコントローラ３０５等のコントローラが１つのＳＬＭを、障害情報を伝えるよう操作する。
【００５２】
ブロック４３０において、作動した補助光源からの光が、ＤＭＤまたはカラーシャッターのところで受け取られる。ＳＬＭが複数の場合には、１つのＳＬＭを用いて障害情報を伝えてもよい。上述のように、複数のＳＬＭは、それぞれの原色について専用のＳＬＭを提供する。障害情報を表示しなければならない場合には、障害情報を伝えるのに単一の原色（すなわち１つのカラーシャッターを用いる）で十分かもしれない。言い換えれば、障害情報は、原色のうちのいずれで表示してもよい英数字のメッセージを含んでいてもよい。補助光源からの、直接光または屈折光（例えば、カラープリズムを用いる場合には屈折光）が、ＤＭＤによって受け取られる。
【００５３】
ブロック４３５において、図３のプロセッサ３１５等のコントローラまたはプロセッサが、障害情報メッセージを伝えるようＳＬＭを操作する。障害情報は、プロジェクションシステム内のさまざまなコンポーネントから受け取られ、コントローラおよびプロセッサによって保存され、アクセスされてもよい。ユーザには、障害情報に選択的にアクセスし操作することができるようにする、プロジェクションシステムへのインターフェースが提供されてもよい。例えば、インターフェースを通じて、ユーザは、障害情報とともに含まれているエラーコード情報のリストをスクロールしてそこから選択を行うことができてもよい。
【００５４】
ブロック４２５に示されるように、ユーザに伝えるべきいかなる障害情報も、投影メッセージとしてユーザに提供される。障害情報は、ＤＭＤのミラーからの反射光またはカラーシャッターにより伝えられ、レンズを通じて投影されて、投影画像としてユーザに表示される。
【００５５】
本発明を、構造的特徴および／または方法の行為に特有の文言で説明したが、添付の特許請求の範囲において規定する本発明は、説明した特定の特徴または行為に必ずしも限定されるものではない、ということが理解されなければならない。むしろ、このような特定の特徴および行為は、特許を請求する本発明を実施する例示的な形式として開示されている。
【図面の簡単な説明】
【００５６】
【図１】空間光変調器（ＳＬＭ）を含む例示的なプロジェクションシステムを示すブロック図である。
【図２】３色の変調器を有するカラープリズムを含む例示的なプロジェクションシステムを示すブロック図である。
【図３】例示的なプロジェクションシステムの入出力制御を示すブロック図である。
【図４】主光源が動作しない場合に、プロジェクションシステムにおいて補助光源とメッセージとを提供するプロセスを示すフローチャートである。
【符号の説明】
【００５７】
１００、２００、３００    プロジェクションシステム
１０５、２０５、３１０    ＳＬＭ（空間光変調器）
１１０、２２５、３３０    主光源
１１５      フィルタ・光学部品
１２０、２４５    投影レンズ
１２５、２５０    投影像
１３０、２５５、３４０    補助（バックアップ）光源
１３５、２６０    情報マスク（ライトテンプレート）
１４０、２６５    補助光源レンズ
３０５    ＳＬＭコントローラ
３１５    プロセッサ
３２０    メモリ
３３５    センサ
【図１】
2008083730.tif 000003
【図２】
2008083730.tif 000004
【図３】
2008083730.tif 000005
【図４】
2008083730.tif 000006